(57)【要約】【課題】製造工程が簡易で、使用時の作業性が良い両面粘着性シートを提供する。【解決手段】粘着層２の一方の面に第１の剥離紙１を、他方の面に第２の剥離紙３を積層し、両側からそれぞれハーフカット加工することにより、テープ片状粘着層２の長さ方向において、第１の剥離紙１のみ粘着層２の端部より突出したピックアップタブを有する両面粘着性シートとする。【選択図】図１
2008255255.tif 000002
【特許請求の範囲】
【請求項１】
テープ片状粘着層の一方の面に第１の剥離紙を、他方の面に第２の剥離紙を設けた両面粘着性シートであって、
上記粘着層の幅方向において、第２の剥離紙の両端部が粘着層の両端部に一致し、
上記粘着層の長さ方向において、第２の剥離紙の少なくとも一方の端部が該粘着層の端部よりも外側に突出し、第１の剥離紙の両端部が該粘着層の両端部に一致していることを特徴とする両面粘着性シート。
【請求項２】
１枚の第１の剥離紙上に、テープ片状粘着層と第２の剥離紙との積層体が、粘着層の幅方向に複数本平行配置された請求項１に記載の両面粘着性シート。
【請求項３】
複数本の積層体が、互いに間隙を有して第１の剥離紙上に配置されている請求項２に記載の両面粘着性シート。
【請求項４】
テープ状両面粘着層と第１の剥離紙との粘着力よりも、該粘着層と第２の剥離紙との粘着力が大きい請求項１乃至３のいずれかに記載の両面粘着性シート。
【請求項５】
テープ状両面粘着層が熱伝導性フィラーを含有し、良熱伝導性を有する請求項１乃至４のいずれかに記載の両面粘着性シート。
【発明の詳細な説明】
【技術分野】
【０００１】
本発明は、粘着層の両面に剥離紙を有する両面粘着性シートに関するものであり、特に、電子機器に搭載された発熱部位の固定用等に使用される、作業性が良好な両面粘着性シートに関する。
【背景技術】
【０００２】
近年、被接合材同士を接合する両面粘着性シートは精密部品、電気・電子機器部品等の分野において市場が拡大してきている。そしてそれらに求められる両面粘着性シートについても熱伝導性や電磁波吸収性といった高性能化が求められている。また同時に貼り付け作業性という観点からの要求も多くあり、剥離紙に特徴を加える事によって作業性の向上を考案している。
【０００３】
例えば、特許文献１には、両面粘着シート（粘着層）を挟む剥離紙の端部を、両面粘着シートの端部よりも外側に突出するように形成した両面接着カットシートが開示されている。
【０００４】
【特許文献１】特開平１０−２０４３８７号公報
【発明の開示】
【発明が解決しようとする課題】
【０００５】
しかしながら、特許文献１に記載されたシートでは、剥離紙の両端が両面粘着シートの端部よりも外側に突出しているため、製造時にそれぞれの形状の剥離紙を用意し、一方の剥離紙に両面粘着シートを積層した後、他方の剥離紙を該両面粘着シートに積層する必要があり、製造工程が非常に煩雑である。また、２枚の剥離紙の端部が一致している場合には、一方の剥離紙を剥がす際に指がかかりにくい。
【０００６】
本発明の課題は、製造工程が簡易で、使用時の作業性が良い両面粘着性シートを提供することにあり、さらには、電子機器に搭載された発熱部位の固定用に適した両面粘着性シートを提供することにある。
【課題を解決するための手段】
【０００７】
本発明は、テープ片状粘着層の一方の面に第１の剥離紙を、他方の面に第２の剥離紙を設けた両面粘着性シートであって、
上記粘着層の幅方向において、第２の剥離紙の両端部が粘着層の両端部に一致し、
上記粘着層の長さ方向において、第２の剥離紙の少なくとも一方の端部が該粘着層の端部よりも外側に突出し、第１の剥離紙の両端部が該粘着層の両端部に一致していることを特徴とする。
【発明の効果】
【０００８】
本発明においては、第２の剥離紙の端部が粘着層及び第１の剥離紙の端部よりも外側に突出しているため、使用時に該第２の剥離紙の突出した端部をピックアップタブとして容易に指やピンセットでつまんで粘着層ごと第１の剥離紙より剥がすことができる。また、第２の剥離紙は粘着層と幅方向の端部が一致しているため、粘着層を被接合部材に貼り付けて転写する際にも、位置合わせが容易で、貼り付け作業が容易である。
【０００９】
また、本発明の両面粘着性シートは、第１の剥離紙と粘着層と第２の剥離紙とからなる積層体を形成してから、さらに不要な部分をハーフカットにより除去すれば容易に製造できるため、量産に適しており、安価に提供することができる。また、複数個分の積層体を形成し、１個分ずつに切断してからハーフカットすることができるため、より効率良く量産することができる。
【発明を実施するための最良の形態】
【００１０】
図１は本発明の両面粘着性シートの好ましい一実施形態の斜視図である。また、図１の実施形態の断面模式図を図２，図３に示す。図２はテープ片状粘着層２の幅方向断面模式図であり、図３はテープ片状粘着層２の長さ方向の断面模式図である。
【００１１】
本発明の両面粘着性シートは、図１〜図３に示すように、基本的にテープ片状粘着層（以下、粘着層と言う）２の一方の面に第１の剥離紙１を、他方の面に第２の剥離紙３を設けた積層体である。
【００１２】
本発明においては、図２に示すように、粘着層２の幅方向において、第２の剥離紙３の両端部と粘着層２の両端部が一致している。当該方向において、第１の剥離紙１の端部は図２のように粘着層２の端部と一致していなくても、一致していても良いが、少なくとも一方の端部において、第１の剥離紙１が図２のように粘着層２の端部よりも外側に突出していると、第２の剥離紙３を粘着層２ごと第１の剥離紙１から剥がす際に、第１の剥離紙３の外側に突出した部分を指などで押さえて剥がし易くすることができるため、好ましい。
【００１３】
また、本発明においては、図３に示すように、粘着層２の長さ方向において、第２の剥離紙３の少なくとも一方の端部が粘着層２の端部よりも外側に突出している。この、第２の剥離紙３の、粘着層２の端部よりも外側に突出した部分が、第２の剥離紙３を粘着層２ごと第１の剥離紙１から剥がす際のピックアップタブとなる。本発明においては、粘着層２の長さ方向において、第１の剥離紙１の両端部は粘着層２の両端部と一致している。即ち、第２の剥離紙３の端部は、粘着層２の端部と第１の剥離紙１の端部の両方に対して外側に突出していることになり、係る部分を指やピンセットなどでつまむ（ピックアップする）際に、第１の剥離紙１の端部が邪魔にならず、容易につまむことができ、第２の剥離紙３を粘着層２ごと剥がす作業が容易である。
【００１４】
本発明において、第２の剥離紙３の、粘着層２の端部より突出する部分の長さは、所定の形状に加工する際の歩留まりやピックアップ性を考慮すると３〜２５ｍｍが好ましく、より好ましくは５〜１０ｍｍである。３ｍｍ未満では指やピンセットでつまみにくくなり、ピックアップ性に劣る。また、２５ｍｍより長いと製品歩留まりが低下する恐れがある。
【００１５】
尚、粘着層２の端部より第２の剥離紙３の端部が外側に突出する部位は、粘着層２の長さ方向の一方だけ、両端部のいずれでも良く、また、両端部の場合には、突出する長さが同じであっても異なっていても良い。両端部が突出している場合は、該両端部をピックアップタブとして持ち上げることができ、被接合部材への粘着層２の貼り付け時に位置合わせが容易になり、好ましい。特に、粘着層２の長さが長い場合には、両端部をピックアップすることでねじれなどを防止することができ、取り扱いが容易になる。
【００１６】
さらに本発明においては、図１、図２に示すように、１枚の第１の剥離紙１上に、粘着層２と第２の剥離紙３との積層体を、粘着層２の幅方向に複数本配置した形態が好ましく適用される。当該構成においては、複数本の積層体を互いに接触させて密に配置しても良いが、隣接する積層体同士で粘着層２同士が粘着して１本ずつ積層体を剥がす際に剥がしにくくなったり、隣接する積層体も同時に剥がしてしまいやすくなるため、図１、図２に示すように、粘着層２の幅方向において互いに間隙を介して配置することが好ましい。係る間隙の大きさは、０．５ｍｍ以上で製品幅（即ち、粘着層２と第２の剥離紙３の積層体の幅）より小さいことが好ましい。０．５ｍｍより小さい場合には間隙部を除去する手間が大きくなり、また製品幅と同等まで大きくなるとロスが大きいだけでなく、間隙部除去の際に製品も一緒に剥離し易くなってしまうため好ましくない。
【００１７】
図１，図２に示すように、１枚の第１の剥離紙１上に、粘着層２と第２の剥離紙３との積層体を複数本配置した場合、第１の剥離紙１の、既に剥離した積層体が配置していた領域を指などで押さえることで新たな積層体がより剥がし易くなるため、好ましい。また、粘着層２と第２の剥離紙３との積層体１本ごとに１枚の第１の剥離紙１を用いた構成に比べて、廃棄物となる第１の剥離紙１の枚数が減るため、廃棄物の嵩が減り、好ましい。
【００１８】
尚、本発明においては、第２の剥離紙３と粘着層２とを第１の剥離紙１から剥がし、次いで粘着層２を第１の被接合部材に貼り付けてから粘着層２より第２の剥離紙３を剥がし、粘着層３の露出面に第２の被接合部材を貼り付けて、第１の被接合部材と第２の被接合部材とを接合する。従って、第２の剥離紙３と粘着層２との粘着力が、第１の剥離紙１と粘着層２との粘着力よりも大きいことが望ましく、具体的には、（第２の剥離紙３と粘着層２との粘着力）／（第１の剥離紙１と粘着層２との粘着力）が、３／２〜１０／１、より好ましくは５／３〜５／２である。係る粘着力の比が、３／２未満であると、第２の剥離紙３と粘着層２とを第１の剥離紙１から剥がす際に、第２の剥離紙３と粘着層２とが剥がれてしまう恐れがあり、１０／１よりも大きい場合には、所定の作業以外の時に第１の剥離紙１が粘着層２から剥がれてしまう恐れがあり、作業性が落ちるため、いずれも好ましくない。係る粘着力の調整方法としては、第１の剥離紙１と第２の剥離紙３の材質を変える、或いは、粘着層２の第１の剥離紙１と接する側が、第２の剥離紙３と接する側よりも粘着力が高くなるように形成すればよい。
【００１９】
本発明の両面粘着性シートの各部材について説明する。
【００２０】
本発明において、第１の剥離紙１、第２の剥離紙３とは、剥離ライナー、セパレーター、離型紙等の部材を意味する。剥離紙１及び３に使用される剥離紙としては、表面にシリコーン系剥離処理、フッ素系剥離処理等が施された紙系、樹脂系または金属箔系のものが選択でき、紙系であれば、具体的にはグラシン紙、上質紙、クラフト紙、またはそれらにポリエチレンにて目止め処理されたもの等が考えられる。樹脂系であれば、各種合成樹脂を採用できる。具体的には、ポリ塩化ビニル、ポリエチレンテレフタレート（ＰＥＴ）、エチレン−酢酸ビニル共重合体、エチレン−エチルアクリレート共重合体、ポリエチレン、ポリプロピレン、エチレン−アクリル酸共重合体、アイオノマー樹脂、ポリイミド、ポリエチレンナフタレート等が挙げられる。またこれらの樹脂の混合物でもよい。さらに、これら樹脂の多層フィルムも好ましく用いられる。また、金属箔系としては、アルミ箔、銅箔、錫泊などが挙げられる。
【００２１】
剥離紙１，３の厚みは、特に限定されることはないが、後述する製造工程における、切断或いはハーフカット加工を考慮すれば、５０μｍ以上が好ましい。また、切断やハーフカット加工しない場合には、価格の面等から薄い方が好ましい。
【００２２】
また、第１の剥離紙１及び第２の剥離紙３の一方を有色、或いは、互いに異なる色としておくことにより、区別が容易になるため、好ましい。例えば、一般的に使用され得るＰＥＴフィルムに所定の剥離処理を施した剥離紙の外側面に印刷インクを用いて印刷を施したものや、ＰＥＴフィルム自体に顔料を加えて着色したものが好ましく用いられる。また、第１の剥離紙１を紙系で、第２の剥離紙３をポリエチレン系で構成すれば、素材の違いで剥離紙１，３を区別することができる。
【００２３】
本発明において、粘着層２としては、自己粘着性を有する樹脂素材や、ベースフィルムの両面に自己粘着性を有する樹脂素材を付したもののいずれでも好ましく用いることができる。自己粘着性を有する樹脂としては、目的に応じて選択でき、例えばアクリル系樹脂、シリコーン系樹脂、エポキシ系樹脂を用いることができる。好ましくは、液状の樹脂素材を塗布し、乾燥させたり、液状の感光性樹脂素材を塗布し、露光によって適度な粘着性を示す粘着層２とする形態が好ましい。
【００２４】
感光性樹脂素材を用いる場合、第１の剥離紙１及び第２の剥離紙３の一方に塗布し、他方の剥離紙で覆ってから一方或いは両面から露光すればよいが、露光する側の剥離紙が不透明である場合には、剥離紙の代わりに別途透明シートを用い、露光してから該透明シートを剥がし、本来の剥離紙を積層しても良い。また、露光の程度によって粘着性が異なる場合には、前記したように、第２の剥離紙３側の粘着力が第１の剥離紙１側よりも大きくなるように露光の程度を調整する。
【００２５】
また、粘着層２として、自己粘着性を有する樹脂素材に熱伝導性フィラーを含有させることにより、係る粘着層２に良好な熱伝導性を付与することができ、本発明が目的としている電子機器に搭載された発熱部位の固定用に好適である。該熱伝導性フィラーとして具体的には、酸化アルミニウム粉末や水酸化アルミニウム粉末、各種シリカ粉末、窒化アルミニウム粉末、窒化ホウ素粉末、炭化ケイ素粉末、アルミニウムや銅などの各種粉末などが挙げられる。
【００２６】
本発明の両面粘着性シートは、先ず、第１の剥離紙１と粘着層２と第２の剥離紙３からなる積層体を形成する。係る積層体の形成方法としては、コーター加工法、ドクターブレード加工法、押出加工法などが挙げられ、必要に応じてプレス二次加工を加えても良い。このようにして得られた積層体を第２の剥離紙３側から、及び、第１の剥離紙１側からそれぞれハーフカット加工することで、所望の形状の両面粘着性シートが得られる。
【００２７】
例えば、図１の実施形態の場合、第１の剥離紙１と粘着層２と第２の剥離紙３からなる積層体を形成し、次いで、第２の剥離紙３を下側に向けて、粘着層２の長さ方向において所定の長さに打ち抜き機でハーフカットし、短い側の第１の剥離紙１と粘着層２とを第２の剥離紙３より剥がして除去すると、第２の剥離紙３のピックアップタブが得られる。次いで、第１の剥離紙１を下側に向けて、所定の幅に打ち抜き機でハーフカットし、間隙部分の粘着層２と第２の剥離紙３を第１の剥離紙１より剥がして除去する。
【００２８】
尚、本発明においては、上記したように第１の剥離紙１と粘着層２と第２の剥離紙３からなる積層体を形成してからハーフカット加工するため、該積層体として複数個分の大面積の積層体を形成し、１個分ずつに切断してからハーフカット加工することにより、より効率良く製造することができる。
【実施例】
【００２９】
実施例として、図１に示す形状の両面粘着性シートを作製した。
第１の剥離紙：厚さ５０μｍのＰＥＴフィルムの片面に剥離処理を施したもの。
第２の剥離紙：厚さ７５μｍのＰＥＴフィルムの片面に剥離処理を施したもの。
【００３０】
尚、第１の剥離紙、第２の剥離紙はいずれも１７０ｍｍ×１６．１ｍｍである。
粘着層用樹脂組成物：
アクリルゴム（日本ゼオン株式会社製「ＡＲ−５３Ｌ」）１０質量％が溶解された２−エチルヘキシルアクリレート（東亞合成株式会社製「２ＥＨＡ」）溶液に、アクリル酸（東亜合成株式会社製「ＡＡ」）１０質量％を混合し、光重合開始剤２，２−ジメトキシ−１，２−ジフェニルエタン−１−オン０．５質量％（チバ・スペシャルティ・ケミカルズ株式会社製）、トリエチレングリコールジメルカプタン０．２質量％（丸善ケミカル株式会社製）、２−ブチル−２−エチル−１，３−プロパンジオールジアクリレート０．２質量％（共栄社化学株式会社製）をさらに添加し混合、樹脂組成物を得た。この樹脂組成物１００質量部に熱伝導性フィラーとして酸化アルミニウム（電気化学工業社製「ＤＡＷ―１０」）を４００質量部、混合、分散し、真空脱泡（０．０８ＭｐＡ×６０ｍｉｎ）処理し熱伝導樹脂組成物を得た。
【００３１】
上記第２の剥離紙の剥離処理が施された面に、上記熱伝導樹脂組成物を厚さ１００μｍになるように塗布し、空気が入らないように塗布面に同様のフィルムを覆い被せ、３６５ｎｍの紫外線を表裏から３０００ｍＪ／ｃｍ2照射して、粘着層を形成した。
【００３２】
上記塗布面を覆っているフィルムを剥がし、第１の剥離紙の剥離処理が施された側を粘着層に向けてラミネートして、第１の剥離紙、粘着層、第２の剥離紙からなる積層体を得た。
【００３３】
上記積層体を打ち抜き機にかけ、第２の剥離紙を下側に向けて最終的な粘着層の長さ方向において１５０ｍｍの長さに打ち抜き機でハーフカットし、両側の第１の剥離紙及び粘着層を剥がして除去した。これにより、両側に長さ１０ｍｍのピックアップタブが形成された。
【００３４】
次に、第１の剥離紙を下側に向けて、粘着層の幅が３．４ｍｍ、間隙が０．５ｍｍとなり、幅方向において粘着層の端部より第１の剥離紙が０．５ｍｍ外側に突出するように、打ち抜き機のピッチ送りを調節してハーフカットし、間隙及び両端の粘着層と第２の剥離紙を剥がして除去した。これにより、第１の剥離紙上に、幅３．４ｍｍの粘着層と第２の剥離紙との積層体が４本、０．５ｍｍの間隙を介して平行に４本配置した両面粘着性シートが得られた。
【００３５】
得られた両面粘着性シートの、（第２の剥離紙と粘着層との粘着力）／（第１の剥離紙と粘着層との粘着力）は、２／１であった。
【００３６】
本例の両面粘着性シートは、端部より突出した第２の剥離紙のピックアップタブを容易につまんで第１の剥離紙から剥がし、ピックアップタブを持ったまま、所定の電子機器に搭載された発熱部位の被接合部材に精度良く貼り付けることができた。その後、第２の剥離紙側から指を押し当てて十分に被接合部材に粘着層を押しつけた後、第２の剥離紙を剥がすことで粘着層が被接合部材に転写され、もう一つの被接合部材を該粘着層に密着させることで良好に接合することができた。
【００３７】
上記実施例の第２の剥離紙を下に向けてハーフカットする工程において、第２の剥離紙まで打ち抜いて、ピックアップタブのない両面粘着性シートを得た。得られたシートは第２の剥離紙と粘着層とを第１の剥離紙から剥がす際に、うまく剥がれず、接合箇所への貼り付けが良好にできなかった。
【００３８】
また、上記実施例において、第１の剥離紙及び第２の剥離紙の剥離処理を調整して、（第２の剥離紙と粘着層との粘着力）／（第１の剥離紙と粘着層との粘着力）が３／２未満となるように調整したところ、第２の剥離紙と粘着層とを第１の剥離紙から剥がす際に、第２の剥離紙から粘着層の一部が浮いてしまった。
【００３９】
さらに、上記実施例において、第１の剥離紙及び第２の剥離紙の剥離処理を調整して、（第２の剥離紙と粘着層との粘着力）／（第１の剥離紙と粘着層との粘着力）が１０／１を超えるように調整したところ、第１の剥離紙と粘着層との粘着力が弱すぎて、ハーフカット加工の際に第１の剥離紙が一部粘着層から浮いてしまった。
【図面の簡単な説明】
【００４０】
【図１】本発明の両面粘着性シートの好ましい実施形態の斜視図である。
【図２】図１の両面粘着性シートの幅方向の断面模式図である。
【図３】図１の両面粘着性シートの長さ方向の断面模式図である。
【符号の説明】
【００４１】
１  第１の剥離紙
２  テープ片状粘着層
３  第２の剥離紙
【図１】
2008255255.tif 000003
【図２】
2008255255.tif 000004
【図３】
2008255255.tif 000005